(57)【特許請求の範囲】
【請求項１】
互いに波長の異なる光を出射する複数の光源が近接して並設され、これら光源から出射される複数種類の光を選択的に光ディスクに照射し、該光ディスクからの戻り光を受光素子にて受光する光ピックアップ装置において、
前記光源から出射された光の一部を反射して前記光ディスクへ向かわせると共に、該光ディスクからの戻り光の一部を透過させるビームスプリッタと、
前記複数種類の光を選択的に反射させるための複数の反射膜が透過層を介して平行に配設してあり、前記ビームスプリッタを透過した前記戻り光をその波長に対応する前記反射膜にて反射して前記受光素子へ向かわせる光路調整素子とを備え、
前記光路調整素子が、第１の光源から出射される第１の波長の光を反射させると共に、前記第１の光源に近接して並設された第２の光源から出射される第２の波長の光を透過させる第１の反射膜と、この第１の反射膜を透過した前記第２の波長の光を反射する第２の反射膜と、これら第１および第２の反射膜の間に介在して前記第２の波長の光を透過させる透過層とを有し、
前記光路調整素子へ向かって異なる光路で斜めに入射してくる前記第１および第２の波長の光の前記戻り光のうち、前記第１の波長の光を前記第１の反射膜で反射させ、前記第２の波長の光を前記第２の反射膜で反射させて前記透過層および前記第１の反射膜を順次透過させることにより、該光路調整素子から前記受光素子へと向かうこれら第１および第２の波長の戻り光の光路が略同一の光路を通って前記受光素子へ向かうように設定したことを特徴とする光ピックアップ装置。
【請求項２】
互いに波長の異なる光を出射する複数の光源が近接して並設され、これら光源から出射される複数種類の光を選択的に光ディスクに照射し、該光ディスクからの戻り光を受光素子にて受光する光ピックアップ装置において、
前記光源から出射された光の一部を反射して前記光ディスクへ向かわせると共に、該光ディスクからの戻り光の一部を透過させるビームスプリッタと、
前記複数種類の光を選択的に反射させるための複数の反射膜が透過層を介して平行に配設してあり、前記ビームスプリッタを透過した前記戻り光をその波長に対応する前記反射膜にて反射して前記受光素子へ向かわせる光路調整素子とを備え、
前記光路調整素子が、第１の光源から出射される第１の波長の光を反射させると共に、前記第１の光源に近接して並設された第２の光源および第３の光源からそれぞれ出射される第２の波長の光および第３の波長の光を透過させる第１の反射膜と、この第１の反射膜を透過した前記第２の波長の光を反射すると共に、前記第１の反射膜を透過した前記第３の波長の光を透過させる第２の反射膜と、この第２の反射膜を透過した前記第３の波長の光を反射する第３の反射膜と、前記第１および第２の反射膜の間に介在して前記第２および第３の波長の光を透過させる第１の透過層と、前記第２および第３の反射膜の間に介在して前記第３の波長の光を透過させる第２の透過層とを有し、
前記光路調整素子へ向かって異なる光路で斜めに入射してくる前記第１および第２および第３の波長の光の前記戻り光のうち、前記第１の波長の光を前記第１の反射膜で反射させ、前記第２の波長の光を前記第２の反射膜で反射させて前記第１の透過層および前記第１の反射膜を順次透過させ、前記第３の波長の光を前記第３の反射膜で反射させて前記第２の透過層、前記第２の反射膜、前記第１の透過層および前記第１の反射膜を順次透過させることにより、該光路調整素子から前記受光素子へと向かうこれら第１および第２および第３の波長の戻り光の光路が略同一の光路を通って前記受光素子へ向かうように設定したことを特徴とする光ピックアップ装置。
【発明の詳細な説明】
【０００１】
【発明の属する技術分野】
本発明は、波長の異なる複数種類の光を用いて複数種類の光ディスクに対して情報の読み取りや書き込みが行える光ピックアップ装置に関する。
【０００２】
【従来の技術】
近年、ＣＤ（コンパクトディスク）やＭＤ（ミニディスク）、ＤＶＤ（デジタルバーサタイルディスク）等の種々の光ディスクが普及しており、それに伴い、これら各種の光ディスクに対して情報の読み取りや書き込みが行える光ピックアップ装置を備えた光ディスク装置が開発されている。このような光ピックアップ装置には、例えば、ＣＤ用の波長７８０ｎｍのレーザ光とＤＶＤ用の波長６５０ｎｍのレーザ光とが出射できる半導体レーザ素子が組み込まれており、半導体レーザ素子から出射されたレーザ光をコリメータレンズや対物レンズを介して光ディスクに照射すると共に、光ディスクからの戻り光を受光素子にて受光するようになっている。
【０００３】
このような光ピックアップ装置では、異なる波長の光を出射する複数の光源を１００μｍ程度離した近接位置に並設しているため、共通のレンズやミラー等を用いて複数種類の光ディスクに対し情報の読み取りや書き込みが行えるようになっている。しかしながら、波長の異なる複数種類の光の戻り光が受光素子に到達する際に、それぞれの光スポットが光源間距離を反映して近接していると、極めて狭い領域に複数種類の受光パターンを形成しなければならないので、高信頼性の受光パターンを形成することが困難であるという製造上の問題があった。
【０００４】
そこで従来、特開２０００−９９９８３号公報に開示されているように、複数の光源から出射された波長の異なる光を所定の平行平板に斜めに入射させ、この平行平板に設けられている複数の波長選択膜にてそれぞれ特定の波長の光を選択的に反射させることにより、異なる波長選択膜で斜めに反射されて光ディスクへと向かう複数種類の光が略同一の光路を通るように構成した光ピックアップ装置が提案されている。かかる従来提案によれば、光源間の距離に応じて各波長選択膜の間隔や平行平板への光の入射角を適宜調整することにより、平行平板から光ディスクへと向かう複数種類の光の光路を合致させることができ、それゆえ受光素子へと向かう戻り光の光路も合致させることができ、受光パターンの共通化が図れる。
【０００５】
【発明が解決しようとする課題】
上述した特開２０００−９９９８３号公報記載の従来技術は、高信頼性の受光パターンが無理なく形成できるという利点はあるものの、複数の波長選択膜を有する平行平板の製造が容易でないという問題があった。すなわち、かかる従来技術に用いられる平行平板では、基板上に波長選択膜を介して薄板ガラス等の光透過層を積層し、この光透過層上に別の波長選択膜を形成するというように、光透過層の表裏両面に波長選択膜を設ける必要があるが、光ディスクに照射する光の非点収差を小さくするために光透過層の厚みは０．２〜０．３ｍｍ程度に抑える必要があるので、そのように薄い光透過層に蒸着法等により所定厚の波長選択膜を平坦度を維持しながら形成することは容易でなく、製造コストの上昇を余儀なくされる。
【０００６】
本発明は、このような従来技術の実情に鑑みてなされたもので、その目的は、複数種類の光ディスクに適用可能であり、かつ製造が容易で低コスト化が図りやすい光ピックアップ装置を提供することにある。
【０００７】
【課題を解決するための手段】
本発明の一解決手段は、光ディスクから受光素子へと至る戻り光の場合は非点収差をさほど小さくする必要がないことに着目し、波長の異なる複数種類の光を選択的に反射させるための複数の反射膜を有する光路調整素子を、受光素子の光路上流側に設置した。そして、この光路調整素子に向かって異なる光路で斜めに入射してくる複数種類の戻り光を、その波長に応じて複数の反射膜で選択的に反射させることにより、光路調整素子から受光素子へと向かう複数種類の戻り光の光路が合致するようにした。これにより、受光パターンの共通化が図れ、高信頼性の受光パターンを容易に形成することができる。また、光ディスクからの戻り光はスポット径を極端に小さくする必要がないので、光路調整素子は戻り光の非点収差を特に考慮することなく設計でき、それゆえ相応の厚みを有する薄板ガラス等の表面に反射膜を形成するなどして、光路調整素子を容易に製造することができる。
【０００９】
【発明の実施の形態】
本発明の一実施形態では、互いに波長の異なる光を出射する複数の光源が近接して並設され、これら光源から出射される複数種類の光を選択的に光ディスクに照射し、該光ディスクからの戻り光を受光素子にて受光する光ピックアップ装置において、前記光源から出射された光の一部を反射して前記光ディスクへ向かわせると共に、該光ディスクからの戻り光の一部を透過させるビームスプリッタと、前記複数種類の光を選択的に反射させるための複数の反射膜が透過層を介して平行に配設してあり、前記ビームスプリッタを透過した前記戻り光をその波長に対応する前記反射膜にて反射して前記受光素子へ向かわせる光路調整素子とを備え、前記光路調整素子が、第１の光源から出射される第１の波長の光を反射させると共に、前記第１の光源に近接して並設された第２の光源から出射される第２の波長の光を透過させる第１の反射膜と、この第１の反射膜を透過した前記第２の波長の光を反射する第２の反射膜と、これら第１および第２の反射膜の間に介在して前記第２の波長の光を透過させる透過層とを有し、前記光路調整素子へ向かって異なる光路で斜めに入射してくる前記第１および第２の波長の光の前記戻り光のうち、前記第１の波長の光を前記第１の反射膜で反射させ、前記第２の波長の光を前記第２の反射膜で反射させて前記透過層および前記第１の反射膜を順次透過させることにより、該光路調整素子から前記受光素子へと向かうこれら第１および第２の波長の戻り光の光路が略同一の光路を通って前記受光素子へ向かうように設定した。
また、互いに波長の異なる光を出射する複数の光源が近接して並設され、これら光源から出射される複数種類の光を選択的に光ディスクに照射し、該光ディスクからの戻り光を受光素子にて受光する光ピックアップ装置において、前記光源から出射された光の一部を反射して前記光ディスクへ向かわせると共に、該光ディスクからの戻り光の一部を透過させるビームスプリッタと、前記複数種類の光を選択的に反射させるための複数の反射膜が透過層を介して平行に配設してあり、前記ビームスプリッタを透過した前記戻り光をその波長に対応する前記反射膜にて反射して前記受光素子へ向かわせる光路調整素子とを備え、前記光路調整素子が、第１の光源から出射される第１の波長の光を反射させると共に、前記第１の光源に近接して並設された第２の光源および第３の光源からそれぞれ出射される第２の波長の光および第３の波長の光を透過させる第１の反射膜と、この第１の反射膜を透過した前記第２の波長の光を反射すると共に、前記第１の反射膜を透過した前記第３の波長の光を透過させる第２の反射膜と、この第２の反射膜を透過した前記第３の波長の光を反射する第３の反射膜と、前記第１および第２の反射膜の間に介在して前記第２および第３の波長の光を透過させる第１の透過層と、前記第２および第３の反射膜の間に介在して前記第３の波長の光を透過させる第２の透過層とを有し、前記光路調整素子へ向かって異なる光路で斜めに入射してくる前記第１および第２および第３の波長の光の前記戻り光のうち、前記第１の波長の光を前記第１の反射膜で反射させ、前記第２の波長の光を前記第２の反射膜で反射させて前記第１の透過層および前記第１の反射膜を順次透過させ、前記第３の波長の光を前記第３の反射膜で反射させて前記第２の透過層、前記第２の反射膜、前記第１の透過層および前記第１の反射膜を順次透過させることにより、該光路調整素子から前記受光素子へと向かうこれら第１および第２および第３の波長の戻り光の光路が略同一の光路を通って前記受光素子へ向かうように設定した。
【００１０】
このように、光ディスクから異なる光路を通って光路調整素子へ斜めに入射する複数種類の戻り光が、その波長に応じて異なる反射膜で反射されて受光素子へ向かうようにしてあれば、複数の反射膜の間に介在している透過層の厚みや、戻り光の入射角等を適宜調整することにより、光路調整素子から受光素子へと向かう複数種類の戻り光の光路を合致させることができるので、受光パターンの共通化が図れ、１組の受光パターンで複数種類の戻り光の検出が可能となる。すなわち、複数種類の戻り光に対応させて複数種類の受光パターンを狭い領域に形成する必要がなくなるので、高信頼性の受光パターンを容易に形成することができる。また、光ディスクへ向かう複数種類の光の光路を合致させる場合には、照射光のスポット径を絞り込むため非点収差をかなり小さくしなければならず、それゆえ光路調整用の部材を簡単かつ安価に製造することが困難であるが、戻り光の場合は非点収差をさほど小さくする必要がないので、相応の厚みを有する薄板ガラス等からなる透過層の表面に反射膜を形成するなどして、光路調整素子を容易に製造することができる。
【００１６】
【実施例】
実施例について図面を参照して説明すると、図１は本発明の一実施例に係る光ピックアップ装置の説明図である。この光ピックアップ装置は、波長の異なる２種類のレーザ光を用いてＤＶＤとＣＤとに適用可能である。
【００１７】
図１において、符号１は半導体レーザ素子、２はビームスプリッタ、３はコリメータレンズ、４は対物レンズ、５は光ディスク（ＤＶＤまたはＣＤ）、６は光路調整素子、７は受光素子を示している。半導体レーザ素子１には、ＤＶＤ用の波長６５０ｎｍのレーザ光Ｌ１を出射する第１の光源（レーザダイオードチップ）１１と、ＣＤ用の波長７８０ｎｍのレーザ光Ｌ２を出射する第２の光源（レーザダイオードチップ）１２とが並設されており、両光源１１，１２の間隔は１００μｍ程度に設定されている。光源１１，１２から選択的に出射されたレーザ光Ｌ１，Ｌ２は、ビームスプリッタ２に向かって進む。このビームスプリッタ２は、到達したレーザ光の半分程度を反射して残りを透過させるというものであり、ビームスプリッタ２で反射されたレーザ光Ｌ１，Ｌ２は、コリメータレンズ３へ向かう。このコリメータレンズ３を透過したレーザ光Ｌ１，Ｌ２は平行光となって対物レンズ４へ向かい、この対物レンズ４で集光されたレーザ光Ｌ１，Ｌ２のスポットが光ディスク５に照射される。また、光ディスク５の記録面で反射されたレーザ光Ｌ１，Ｌ２の戻り光は、対物レンズ４およびコリメータレンズ３を透過してビームスプリッタ２へ到達し、このビームスプリッタ２を透過したレーザ光Ｌ１，Ｌ２が光路調整素子６に向かって進む。なお、第１の光源１１と第２の光源１２が１００μｍ程度離れているので、半導体レーザ素子１から光ディスク５へと向かうレーザ光Ｌ１の光路とレーザ光Ｌ２の光路はずれており、同様に、光ディスク５から光路調整素子６へと向かうレーザ光Ｌ１の光路とレーザ光Ｌ２の光路もずれている。
【００１８】
しかし、光路調整素子６には、波長６５０ｎｍのレーザ光Ｌ１と波長７８０ｎｍのレーザ光Ｌ２を選択的に反射させるための反射膜１３，１４が、透過層１５を介して平行に配設してあるので、レーザ光Ｌ１，Ｌ２の戻り光は光路調整素子６で反射されると光路のずれがなくなり、同一の光路Ｒを通って受光素子７へと向かう。すなわち、光路調整素子６は、基板８上に、波長７８０ｎｍのレーザ光Ｌ２を反射する反射膜１４と、薄板ガラスなどからなる透過層１５と、波長６５０ｎｍのレーザ光Ｌ１は反射するが波長７８０ｎｍのレーザ光Ｌ２は透過させてしまう反射膜１３とを、順次積層した構成になっている。したがって、図１に示すように、レーザ光Ｌ１またはレーザ光Ｌ２の戻り光が光路調整素子６に斜めに入射してくると、レーザ光Ｌ１は表面の反射膜１３で反射されるが、レーザ光Ｌ２は、反射膜１３および透過層１５を透過して反射膜１４で反射されてから再び透過層１５および反射膜１３を透過することになり、この光路差を利用して、光路調整素子６から受光素子７へと向かうレーザ光Ｌ１，Ｌ２の戻り光の光路Ｒを合致させることができる。なお、このような光路の調整は、透過層１５の厚みや、光路調整素子６への戻り光の入射角等を適宜設定することにより行える。また、反射膜１３，１４は、ＴｉＯ2やＭｇＦ2等を積層形成したものであり、その各層の膜厚や全体の厚み、材料等を適宜設定することにより、特定の波長の光を選択的に反射させることができる。
【００１９】
このように本実施例においては、光ディスク５から異なる光路を通って光路調整素子６へ斜めに入射するレーザ光Ｌ１，Ｌ２の戻り光を、その波長に応じた異なる反射膜１３，１４で反射させることにより、これら２種類の戻り光が同一の光路Ｒを通って受光素子７へ向かうように設定してあるので、受光素子７に形成されている受光パターンの共通化が図れ、よって高信頼性の受光パターンを容易に形成することができる。また、光ディスク５からの戻り光は非点収差をさほど小さくする必要がないので、薄板ガラスなどからなる透過層１５を極端に薄くする必要はなく、それゆえ透過層１５の表面に反射膜１３や反射膜１４を形成することは比較的容易である。なお、反射膜１４は基板８の表面に形成してもよい。したがって、この光ピックアップ装置は、受光素子７および光路調整素子６を容易に製造することができて、低コスト化が図りやすい。
【００２０】
図２は本発明の他の実施例に係る光ピックアップ装置の光路調整素子を示す説明図である。この光路調整素子１６を組み込んだ光ピックアップ装置は、波長の異なる３種類のレーザ光Ｌ１，Ｌ２，Ｌ３を用いて３種類の光ディスクに適用可能であるが、その基本的な構成は、図１を用いて説明した先の実施例と同様である。すなわち、半導体レーザ素子から出射されるレーザ光Ｌ１，Ｌ２，Ｌ３はどれも、ビームスプリッタで反射されてコリメータレンズ、対物レンズを経て光ディスクへ照射されると共に、光ディスクからの戻り光が対物レンズ、コリメータレンズ、ビームスプリッタを経て光路調整素子１６へ入射され、この光路調整素子１６から所定の光路Ｒを通って受光素子へ向かうようになっている。なお、本実施例において、レーザ光Ｌ１の波長は４１０ｎｍ、Ｌ２の波長は６５０ｎｍ、Ｌ３の波長は７８０ｎｍであり、前記半導体レーザ素子には、これらのレーザ光Ｌ１，Ｌ２，Ｌ３を出射する３種類の光源が配設されている。
【００２１】
図２に示す光路調整素子１６は、基板１７上に反射膜１８、透過層１９、反射膜２０、透過層２１、反射膜２２を順次積層した構成になっている。最上層の反射膜２２は、第１の波長のレーザ光Ｌ１は反射するが第２の波長のレーザ光Ｌ２および第３の波長のレーザ光Ｌ３は透過させるという性質を有する。その下の透過層２１は所定の厚さの薄板ガラスである。その下の反射膜２０は、レーザ光Ｌ２は反射するがレーザ光Ｌ３は透過させるという性質を有する。その下の透過層１９は所定の厚さの薄板ガラスであり、最下層の反射膜１８はレーザ光Ｌ３を反射する。そして、透過層１９，２１の厚みや、光路調整素子１６への戻り光の入射角等を調整することにより、最上層の反射膜２２で反射されたレーザ光Ｌ１の戻り光と、中間層の反射膜２０で反射されて透過層２１および反射膜２２を透過したレーザ光Ｌ２の戻り光と、最下層の反射膜１８で反射されて透過層１９、反射膜２０、透過層２１および反射膜２２を透過したレーザ光Ｌ３の戻り光とが、すべて同一の光路Ｒを通って受光素子へ向かうように設定してある。
【００２２】
図３は参考例に係る光ピックアップ装置の説明図である。この光ピックアップ装置は、半導体レーザ素子１から出射されるレーザ光Ｌ１，Ｌ２が、相対向する反射透過膜２３，２４を有する光路調整用の光分岐素子９で反射されてコリメータレンズ３へ向かうようになっている。半導体レーザ素子１には、ＤＶＤ用の波長６５０ｎｍのレーザ光Ｌ１を出射する第１の光源１１と、ＣＤ用の波長７８０ｎｍのレーザ光Ｌ２を出射する第２の光源１２とが、１００μｍ程度離間した近接位置に配設してあるので、半導体レーザ素子１から選択的に出射されて光分岐素子９へ向かうレーザ光Ｌ１の光路とレーザ光Ｌ２の光路はずれている。しかし、レーザ光Ｌ１，Ｌ２をそれぞれ光分岐素子９の反射透過膜２３，２４で反射させることにより、レーザ光Ｌ１，Ｌ２の光路のずれを解消している。
【００２３】
すなわち、光路調整用の光分岐素子９は、プリズム形状の一対の光学ガラス（光学素子）２５，２６を透過層２７を介して対向・接着させたもので、各光学ガラス２５，２６の対向面には、特定の波長のレーザ光を選択的に反射する反射透過膜２３，２４がそれぞれ形成されている。このうち、一方の反射透過膜２３は、波長６５０ｎｍのレーザ光Ｌ１が入射されるとその半分程度を反射して残りを透過させるが、波長７８０ｎｍのレーザ光Ｌ２が入射されるとその大部分を透過させてしまう。これとは逆に、他方の反射透過膜２４は、レーザ光Ｌ２が入射されるとその半分程度を反射して残りを透過させるが、レーザ光Ｌ１が入射されるとその大部分を透過させてしまう。したがって、半導体レーザ素子１の第１の光源１１から出射されて光分岐素子９の光学ガラス２５へ垂直に入射したレーザ光Ｌ１は、反射透過膜２３で反射されて進行方向を９０度変更した後、光学ガラス２５を透過してコリメータレンズ３へ向かう。これに対して、半導体レーザ素子１の第２の光源１２から出射されて光分岐素子９の光学ガラス２５へ垂直に入射したレーザ光Ｌ２は、反射透過膜２３および透過層２７を透過して反射透過膜２４で反射された後、再び透過層２７および反射透過膜２３を透過して光学ガラス２５へと進み、この光学ガラス２５中を進行方向を９０度変更した状態で透過してコリメータレンズ３へ向かう。光分岐素子９はこの光路差を利用して、コリメータレンズ３へ向かうレーザ光Ｌ１，Ｌ２の光路を合致させている。なお、このような光路の調整は、透過層２７の厚みを適宜設定することにより行える。また、反射透過膜１３，１４は、ＴｉＯ2やＳｉＯ2等を積層形成したものであり、その各層の膜厚や全体の厚み、材料等を適宜設定することにより、特定の波長の光を選択的に反射させることができる。
【００２４】
このように光分岐素子９を経由させることによって、コリメータレンズ３へ向かうレーザ光Ｌ１の光路とレーザ光Ｌ２の光路とが合致させてあるので、コリメータレンズ３から対物レンズ４を経て光ディスク５へ照射されるレーザ光Ｌ１，Ｌ２の光軸はほとんど一致している。また、光ディスク５から対物レンズ４へと向かうレーザ光Ｌ１，Ｌ２の戻り光の光路も同一なので、これら２種類のレーザ光Ｌ１，Ｌ２の戻り光はいずれも、対物レンズ４からコリメータレンズ３を経て光分岐素子９へ入射された後、その半分程度が光分岐素子９を透過して光学ガラス２６側から所定の光路Ｒに沿って進み、受光レンズ１０を透過して受光素子７へと向かう。
【００２５】
上述したように本参考例では、光路調整用の光分岐素子９を組み込んで、波長の異なる２種類のレーザ光Ｌ１，Ｌ２が同一の光路を通って光ディスク５へ向かうように設定してあるので、光ディスク５からのレーザ光Ｌ１，Ｌ２の戻り光を、光分岐素子９の光学ガラス２６側から同一の光路Ｒを通って受光素子７へ向かわせることができ、それゆえ受光パターンの共通化が図れて、高信頼性の受光パターンを容易に形成することができる。また、光路調整用の光分岐素子９を製造する際には、予め対向面に反射透過膜２３，２４を設けておいたプリズム形状の一対の光学ガラス２５，２６を、透明接着剤や薄板ガラスなどからなる透過層２７を挟んで対向配置させればよい。このとき、光ディスク５へ向かうレーザ光の非点収差を小さくするために、両反射透過膜２３，２４の間隔を狭めておく必要があるが、透過層２７の厚みは任意に設定できるので製造上の問題は生じない。また、プリズム形状の光学ガラス２５，２６の一面に反射透過膜２３，２４を平坦に形成することも容易である。したがって、この光分岐素子９は、同様の機能を有する従来品に比べて、製造コストを大幅に低減することができる。
【００２６】
図４はさらに別の参考例に係る光ピックアップ装置の説明図であり、図３に示した前記参考例と同様に、光路調整用の光分岐素子９を用いてレーザ光Ｌ１，Ｌ２の光路を合致させている。ただし、本参考例では、第１の光源１１から出射されるレーザ光Ｌ１と第２の光源１２から出射されるレーザ光Ｌ２とが、光分岐素子９を透過して真っ直ぐにコリメータレンズ３へ向かうようにしてあるので、対物レンズ４を経て光ディスク５へ照射されるレーザ光Ｌ１の光路とレーザ光Ｌ２の光路は合致していない。しかし、光ディスク５から対物レンズ４へと向かうレーザ光Ｌ１，Ｌ２の戻り光が光分岐素子９に入射されると、レーザ光Ｌ１が反射透過膜２３で反射されるのに対しレーザ光Ｌ２は反射透過膜２４で反射されるので、この光路差を利用して、光分岐素子９の光学ガラス２５側から受光素子７へと向かうレーザ光Ｌ１，Ｌ２の戻り光の光路Ｒが合致するように設定してある。
【００２７】
なお、上記別の参考例では、ＤＶＤとＣＤの両方に適用可能な光ピックアップ装置について説明したが、ＤＶＤとＭＤあるいはＤＶＤとＣＤ−ＲＯＭ等、異なる波長のレーザ光を用いる光ディスクの組み合わせであれば、いかなる種類の組み合わせにも適用できることはいうまでもない。
【００２８】
【発明の効果】
本発明は、以上説明したような形態で実施され、以下に記載されるような効果を奏する。
【００２９】
波長の異なる複数種類の光を選択的に反射させるための複数の反射膜を有する光路調整素子を受光素子の光路上流側に設置し、この光路調整素子に向かって異なる光路で斜めに入射してくる複数種類の戻り光をその波長に応じて複数の反射膜で選択的に反射させることにより、光路調整素子から受光素子へと向かう複数種類の戻り光の光路が合致するようにした光ピックアップ装置によれば、１組の受光パターンによって複数種類の戻り光を検出できるため、高信頼性の受光パターンを容易に形成することができる。また、光ディスクからの戻り光はスポット径を極端に小さくする必要がないので、光路調整素子は戻り光の非点収差を特に考慮することなく設計でき、それゆえ相応の厚みを有する薄板ガラス等の表面に反射膜を形成するなどして、光路調整素子を容易に製造することができる。その結果、複数種類の光ディスクに適用可能な光ピックアップ装置の低コスト化が図れる。
【図面の簡単な説明】
【図１】  本発明の一実施例に係る光ピックアップ装置の説明図である。
【図２】  本発明の他の実施例に係る光ピックアップ装置の光路調整素子を示す説明図である。
【図３】  参考例に係る光ピックアップ装置の説明図である。
【図４】  さらに別の参考例に係る光ピックアップ装置の説明図である。
【符号の説明】
１  半導体レーザ素子
２  ビームスプリッタ
３  コリメータレンズ
４  対物レンズ
５  光ディスク
６，１６  光路調整素子
７  受光素子
８，１７  基板
１１，１２  光源（レーザダイオードチップ）
１３，１４，１８，２０，２２  反射膜
１５，１９，２１  透過層
Ｌ１，Ｌ２，Ｌ３  レーザ光
Ｒ  光路
【図１】
0003907930.tif 000002
【図２】
0003907930.tif 000003
【図３】
0003907930.tif 000004
【図４】
0003907930.tif 000005